(57)【要約】【課題】シェードテイキングを簡便かつ効率よく行える方法の提供。【解決手段】ＶＩＴＡ社製シェードガイドVITA Classical(商品名）を用い、Ａ系色の色見本であるＡ１、Ａ２、Ａ３、Ａ３．５およびＡ４の中で歯に最も明るさが近い色の色見本を選択し（工程１)、次に、色の明るさを指標にして色見本を明るさの高低順に並べたときの、最も明るい側から３つの色見本毎にグループ分けした下記のグループ１〜５のうちの、工程１で選択した色見本が存在するグループの中での評価対象歯に最も明るさが近い色の色見本を選択する（工程２）。  グループ１：Ａ１、Ｂ１、Ｂ２  グループ２：Ａ２、Ｃ１、Ｄ２  グループ３：Ａ３、Ｃ２、Ｄ３  又は  Ａ３、Ｄ３、Ｄ４  グループ４：Ａ３．５、Ｂ３、Ｂ４  グループ５：Ａ４、Ｃ３、Ｃ４【選択図】なし【特許請求の範囲】
【請求項１】
ＶＩＴＡ社製シェードガイドVITA Classical(商品名）またはこれに準ずるシェードガイドを用いて、歯の色を判定する方法であって、以下の工程１および工程２を含む方法。
工程１：前記シェードガイドのＡ系色の色見本であるＡ１、Ａ２、Ａ３、Ａ３．５およびＡ４の中で歯に最も明るさが近い色の色見本を選択する。
工程２：前記シェードガイドのＡ系色の色見本（Ａ１、Ａ２、Ａ３、Ａ３．５およびＡ４）、Ｂ系色の色見本（Ｂ１、Ｂ２、Ｂ３およびＢ４）、Ｃ系色の色見本（Ｃ１、Ｃ２、Ｃ３およびＣ４）及びＤ系色の色見本（Ｄ２、Ｄ３およびＤ４）の合計１６種の色見本から、色見本Ｄ４を除くか、或いは、色見本Ｃ２を除いた１５種の色見本を、VITA Classicalにおける色の明るさを指標にして下記の表１に示す明るさの高低順に並べるか、或いは、L*a*b*表色系に基づく下記式（１）で定義される色の明るさを指標にして下記表２に示す明るさの高低順に並べたときの、最も明るい側から３つの色見本毎にグループ分けした下記のグループ１〜５のうちの、工程１で選択した色見本が存在するグループの中での評価対象歯に最も明るさが近い色の色見本を選択する。
グループ１：Ａ１、Ｂ１、Ｂ２
グループ２：Ａ２、Ｃ１、Ｄ２
グループ３：Ａ３、Ｃ２、Ｄ３  又は  Ａ３、Ｄ３、Ｄ４
グループ４：Ａ３．５、Ｂ３、Ｂ４
グループ５：Ａ４、Ｃ３、Ｃ４
【表１】
2014000176.tif 000018
【数１】
2014000176.tif 000019
【表２】
2014000176.tif 000020
【請求項２】
請求項１に記載の方法を実施するためのシェードガイドであって、
下記第１〜第５の色見本表示用具と、前記５つの色見本表示用具が抜き挿し可能に収容され、かつ、各色見本表示用具の一端の色見本が外部に突き出た状態に収容されるように構成された色見本用保持基盤とを有することを特徴とする、シェードガイド。
第１の色見本表示用具：一端に色見本Ａ１が保持され、該一端から離反して、色見本Ａ１、Ｂ１およびＢ２が隣接状態で保持された色見本表示用具
第２の色見本表示用具：一端に色見本Ａ２が保持され、一端から離反して、色見本Ａ２、Ｃ１およびＤ２が隣接状態で保持された色見本表示用具
第３の色見本表示用具：一端に色見本Ａ３が保持され、該一端から離反して、色見本Ａ３、Ｃ２およびＤ３か、或いは、色見本Ａ３、Ｄ３およびＤ４が隣接状態で保持された色見本表示用具
第４の色見本表示用具：一端に色見本Ａ３．５が保持され、該一端から離反して、色見本Ａ３．５、Ｂ３およびＢ４が隣接状態で保持された色見本表示用具
第５の色見本表示用具：一端に色見本Ａ４が保持され、該一端から離反して、色見本Ａ４、Ｃ３およびＣ４が隣接状態で保持された色見本表示用具
【発明の詳細な説明】
【技術分野】
【０００１】
本発明は、歯の色を判定する方法および該方法を実施するためのシェードガイドに関する。
【背景技術】
【０００２】
歯の治療において、歯を修復する際、修復材料として歯科充填用コンポジットレジンを使用する場合、該材料の色を修復する歯の色若しくは周辺の歯の色と同じ色にすることが望ましい。そのため、歯の色を判定すること（以下、「歯の色を判定すること」を「シェードテイキング」と称することがある。）が重要になる。
【０００３】
シェードテイキングに使用される色調見本は、シェードガイドと呼ばれ、色見本の数や、色見本を保持する保持用具の構成等が、色の判定作業をしやすいように工夫されている。
【０００４】
最も一般的なシェードガイドに、ＶＩＴＡ社製のVITA Classical（商品名）がある。これは全１６種の色見本からなり、全１６種の色見本は主に色相によってＡ系〜Ｄ系の４種類に大別される。Ａ系とは赤味のある茶色、Ｂ系とは赤味のある黄色、Ｃ系とは灰色、Ｄ系とは赤味のある灰色である。そして、Ａ系〜Ｄ系のそれぞれに属する色見本は、明度と彩度の混合指標によって１〜４までの番号が付与されて区別されている。本製品（VITA Classical）は、通常は、１６種の色見本が、Ａ系〜Ｄ系のグループ毎に１〜４までの番号の順序に並べられている。一方、ＶＩＴＡ社は、明度、彩度及び色相の３つの要素全体を考慮した指標（「明るさ」）を考案し、かかる指標によって、VITA Classicalにおける１６種の色見本を下記の表１２に示す順に並べると、視覚的に明るい順となることを報告している。なお、VITA Classicalにおける下記表１２に示す視覚的に明るい順に並べた色見本の配列（順番）は歯科医療分野の当業者において広く知られている。このように、色見本を視覚的に明るい順に並べることで、歯の明るさ（視覚的な明るさ）によって、比較すべき色見本をある程度絞り込むことができるため、シェードテイキングに要する時間を短縮することができる。
【０００５】
【表１】
2014000176.tif 000002
【０００６】
一方、ＶＩＴＡ社製の「VITA Classical」とは異なるシェードガイドやそれを用いて歯の色を判定する方法が提案されている（例えば、特許文献１、２等）。しかし、いずれの提案も、色見本の選択は、明度に基づく色見本の選択と、色相による色見本の選択とを行うか、或いは、さらに彩度による色見本の選択を行う方法であり、シェードガイドにおける色見本の総数が多いため、シェードテイキングに時間がかかり、また、その際の作業も簡便とは言い難い。
【先行技術文献】
【特許文献】
【０００７】
【特許文献１】特表２０１０―５１６３５５号公報
【特許文献２】国際公開第２００９／００８０４４号パンフレット
【発明の概要】
【発明が解決しようとする課題】
【０００８】
したがって、本発明が解決しようとする課題は、シェードテイキングを簡便かつ効率よく行える方法および該方法を確実に実施できるシェードガイドを提供することにある。
【課題を解決するための手段】
【０００９】
本発明者は、VITA Classicalにおける、明度、彩度および色相の３つの要素を考慮した「明るさ」を指標にして並べられた１６種の色見本の配列（前記表１２参照）から、使用頻度が低い色見本Ｄ４を除いた１５種の色見本を、最も明るい側から３種ずつグルーピングすると、５つのグループができ、該５つのグループのいずれのグループにもＡ系の色見本が１つ存在することを発見した。さらに、色見本Ｄ４は色見本Ｃ２と「明るさ」が近いため、「明るさ」を指標にして並べられた１６種の色見本の配列（前記表１２参照）から、色見本Ｄ４は除かず、色見本Ｃ２を除いた１５種の色見本においても、最も明るい側から３種ずつグルーピングすると、５つのグループができ、該５つのグループのいずれのグループにもＡ系の色見本が１つ存在することが分かった。そこで、先ずＡ系の５種の色見本の中で評価対象歯に最も明るさが近い色見本を選択し、その後、かかる選択した色見本が存在するグループの３種の色見本の中での評価対象歯に最も明るさが近い色見本を選択すれば、正確にシェードテイキングを行えることを見出し、本発明を完成するに至った。
【００１０】
すなわち、本発明は以下の通りである。
［１］  ＶＩＴＡ社製シェードガイドVITA Classical(商品名）またはこれに準ずるシェードガイドを用いて、歯の色を判定する方法であって、以下の工程１および工程２を含む方法。
工程１：前記シェードガイドのＡ系色の色見本であるＡ１、Ａ２、Ａ３、Ａ３．５およびＡ４の中で歯に最も明るさが近い色の色見本を選択する。
工程２：前記シェードガイドのＡ系色の色見本（Ａ１、Ａ２、Ａ３、Ａ３．５およびＡ４）、Ｂ系色の色見本（Ｂ１、Ｂ２、Ｂ３およびＢ４）、Ｃ系色の色見本（Ｃ１、Ｃ２、Ｃ３およびＣ４）及びＤ系色の色見本（Ｄ２、Ｄ３およびＤ４）の合計１６種の色見本から、色見本Ｄ４を除くか、或いは、色見本Ｃ２を除いた１５種の色見本を、VITA Classicalにおける色の明るさを指標にして下記の表１に示す明るさの高低順に並べるか、或いは、L*a*b*表色系に基づく下記式（１）で定義される色の明るさを指標にして下記表２に示す明るさの高低順に並べたときの、最も明るい側から３つの色見本毎にグループ分けした下記のグループ１〜５のうちの、工程１で選択した色見本が存在するグループの中での評価対象歯に最も明るさが近い色の色見本を選択する。
グループ１：Ａ１、Ｂ１、Ｂ２
グループ２：Ａ２、Ｃ１、Ｄ２
グループ３：Ａ３、Ｃ２、Ｄ３  又は  Ａ３、Ｄ３、Ｄ４
グループ４：Ａ３．５、Ｂ３、Ｂ４
グループ５：Ａ４、Ｃ３、Ｃ４
【００１１】
【表２】
2014000176.tif 000003
【００１２】
【数１】
2014000176.tif 000004
【表３】
2014000176.tif 000005
【００１３】
［２］  上記［１］に記載の方法を実施するためのシェードガイドであって、
下記第１〜第５の色見本表示用具と、前記５つの色見本表示用具が抜き挿し可能に収容され、かつ、各色見本表示用具の一端の色見本が外部に突き出た状態に収容されるように構成された色見本用保持基盤とを含むことを特徴とする、シェードガイド。
第１の色見本表示用具：一端に色見本Ａ１が保持され、該一端から離反して、色見本Ａ１、Ｂ１およびＢ２が隣接状態で保持された色見本表示用具
第２の色見本表示用具：一端に色見本Ａ２が保持され、一端から離反して、色見本Ａ２、Ｃ１およびＤ２が隣接状態で保持された色見本表示用具
第３の色見本表示用具：一端に色見本Ａ３が保持され、該一端から離反して、色見本Ａ３、Ｃ２およびＤ３か、或いは、色見本Ａ３、Ｄ３およびＤ４が隣接状態で保持された色見本表示用具
第４の色見本表示用具：一端に色見本Ａ３．５が保持され、該一端から離反して、色見本Ａ３．５、Ｂ３およびＢ４が隣接状態で保持された色見本表示用具
第５の色見本表示用具：一端に色見本Ａ４が保持され、該一端から離反して、色見本Ａ４、Ｃ３およびＣ４が隣接状態で保持された色見本表示用具
【発明の効果】
【００１４】
本発明によれば、シェードテイキングを簡便かつ効率よく行うことができる。
【図面の簡単な説明】
【００１５】
【図１】図１は５本の色見本表示用具の平面図である。
【図２】図２は図１に示す５本の色見本表示用具が色見本用保持基盤に収容されたシェードガイドの平面図である。
【図３】（Ａ）は色見本表示用具の平面図、（Ｂ）は（Ａ）のＸ−Ｘ線における断面図である。
【発明を実施するための形態】
【００１６】
以下、本発明をその実施形態に即して詳しく説明する。
本発明の歯の色を判定する方法（以下、単に「本発明方法」とも略称する）では、ＶＩＴＡ社製シェードガイドVITA Classical(商品名）を使用する。以下、「ＶＩＴＡ社製シェードガイドVITA Classical (商品名）」は「VITA Classical シェードガイド」と称する。
【００１７】
先ず、VITA Classical シェードガイドのＡ系色の５種の色見本Ａ１、Ａ２、Ａ３、Ａ３．５、Ａ４を用いて、それらの中から、評価対象歯に最も明るさが近い色の色見本を選択する（工程１）。
【００１８】
次に、VITA Classical シェードガイドの全１６種の色見本から使用頻度が低い色見本Ｄ４を除いた１５種の色見本を、ＶＩＴＡ社が報告するVITA Classical シェードガイドにおける「明るさ」を指標にした下記の表３に示される視覚的に明るい順に並べて、最も明るい側から３つの色見本毎にグループ分けして得られる、グループ１（Ｂ１、Ａ１、Ｂ２）、グループ２（Ｄ２、Ａ２、Ｃ１）、グループ３（Ｃ２、Ａ３、Ｄ３）、グループ４（Ｂ３、Ａ３．５、Ｂ４）およびグループ５（Ｃ３、Ａ４、Ｃ４）のうちの、工程１で選択した色見本が存在するグループの中で評価対象歯に最も明るさが近い色の色見本を選択する（工程２）。
【００１９】
【表４】
2014000176.tif 000006
【００２０】
なお、VITA Classical シェードガイドにおいて、色見本Ｄ４の色と色見本Ｃ２の色は視覚的な明るさにおいて近似しているため、色見本Ｄ４の代わりに色見本Ｃ２を除いた１５種の色見本を下記の表４に示される視覚的に明るい順に並べ、最も明るい側から３つの色見本毎にグループ分けして得られる、グループ１（Ｂ１、Ａ１、Ｂ２）、グループ２（Ｄ２、Ａ２、Ｃ１）、グループ３（Ｄ４、Ａ３、Ｄ３）、グループ４（Ｂ３、Ａ３．５、Ｂ４）およびグループ５（Ｃ３、Ａ４、Ｃ４）のうちの、工程１で選択した色見本が存在するグループの中で評価対象歯に最も明るさが近い色の色見本を選択するようにしてもよい。
【００２１】
【表５】
2014000176.tif 000007
【００２２】
表３及び表４を一つにまとめると、下記の表１となる。
【００２３】
【表６】
2014000176.tif 000008
【００２４】
VITA Classical シェードガイドを用いて、かかる工程１および工程２の順に色見本を選択する方法であれば、従来のVITA Classical シェードガイドを用いた標準的な歯の色の判定方法、すなわち、VITA Classical シェードガイドを市販されたときの１６種の色見本の配列状態（Ａ１、Ａ２、Ａ３、Ａ３．５、Ａ４、Ｂ１、Ｂ２、Ｂ３、Ｂ４、Ｃ１、Ｃ２、Ｃ３、Ｃ４、Ｄ２、Ｄ３、Ｄ４の順番で並んでいる状態）で用いて評価対象歯に最も明るさが近い色の色見本を選択する方法に比べて、効率よく歯の色を判定することできる。このことは、後述の実施例と比較例との対比結果から明らかである。
【００２５】
一方、VITA Classical シェードガイドの全１６種の色見本（Ａ１、Ａ２、Ａ３、Ａ３．５、Ａ４、Ｂ１、Ｂ２、Ｂ３、Ｂ４、Ｃ１、Ｃ２、Ｃ３、Ｃ４、Ｄ２、Ｄ３、Ｄ４）の色をL*a*b*表色系により数値化すると、下記の表（表５）に示す数値で表すことができる。
【００２６】
【表７】
2014000176.tif 000009
【００２７】
表５の数値は、VITA Classical シェードガイドの１６種の色見本と同じ色調に調整したレジンを用いて、以下の方法によりL*a*b*表色系（ＪＩＳ  Ｚ８７２９−２００４）での数値を測定することで得た。
【００２８】
＜測定条件＞
測色対象のサンプルは１ｍｍ厚のレジン硬化物。
測色機は「CM-3610d」（コニカミノルタ製）、光源はD65/2、背景はカラータイル（白）を使用。
【００２９】
＜VITA Classical シェードガイドの色見本とレジンの色合わせ＞
VITA Classical シェードガイド の色見本は実際の歯に近似する形状に作製されているため、色見本の一部に窩洞（「ＩＩＩ級窩洞」）を形成し、その窩洞にレジンを埋めて目視で色見本との色合わせをした。なお、レジンの色調整は以下の手順によって行った。
【００３０】
８０重量部の２，２−ビス［４−（３−（メタ）アクリロイルオキシ−２−ヒドロキシプロポキシ）フェニル］プロパンビスフェノールＡジグリシジルメタクリレート（以下、「ＢＩＳ−ＧＭＡ」と略称する。）、２０重量部のトリエチレングリコールジメタクリレート（以下、「ＴＥＧＤＭＡ」と略称する。）、０．４重量部のカンファーキノン、０．４重量部のＮ，Ｎ−ジメチルアミノエチル−ｐ−安息香酸エチルに、白色、黒色、黄色および赤色の顔料を下記表６に示す量比で配合したものを「モノマー１」とした。「モノマー１」はシェードごとに調製した。表６中の数値は重量部である。
【００３１】
白色顔料には「日本薬局方酸化チタン」（和光純薬社製）、黒色顔料には「ＫＮ３２０」（戸田工業社製）、黄色顔料には「ＹＥＬＬＯＷ４８」（戸田工業社製）、赤色顔料には「１００ＥＤ」（戸田工業社製）を使用した。
【００３２】
１００重量部の「８２３５−ＵＦ０．７」（ＮＥＣ  ＳＣＨＯＴＴコンポーネンツ社製）に対し、通法に従い２重量部のγ−メタクリロキシプロピルトリメトキシシラン（以下、「γＭＰＳ」と略称する）で、シランカップリング処理をしたものを「Ｆ−１」とし、１００重量部の「ＯＸ−５０」(日本アエロジル社製)に対し、通法に従い１０重量部のγＭＰＳでシランカップリング処理をしたものを「Ｆ−２」とし、８０重量部のＢＩＳ−ＧＭＡ、２０重量部のＴＥＧＤＭＡ、１重量部のベンゾイルパーオキサイドの混合物を「モノマー２」とし、６０重量部のＦ−２、４０重量部のモノマー２の混合物を摂氏１００度の温度環境下で１時間保持して熱重合させ、該熱重合硬化物をボールミルで２０時間の回転粉砕によって微細化し、通法に従い３重量部のγＭＰＳでシランカップリング処理をしたものを「Ｆ−３」とした。そして、２２重量部のモノマー１、４４重量部のＦ−１、３４重量部のＦ−３の混合物を硬化させて、各シェードの色見本を作成した。
【００３３】
【表８】
2014000176.tif 000010
【００３４】
なお、前記表５のVITA Classical シェードガイドの全１６種の色見本（Ａ１、Ａ２、Ａ３、Ａ３．５、Ａ４、Ｂ１、Ｂ２、Ｂ３、Ｂ４、Ｃ１、Ｃ２、Ｃ３、Ｃ４、Ｄ２、Ｄ３、Ｄ４）のL*a*b*表色系による数値の値のばらつきが少ない好ましい数値範囲は以下の表（表７）の通りである。
【００３５】
【表９】
2014000176.tif 000011
【００３６】
VITA Classical シェードガイドの１６種の色見本の色をL*a*b*表色系による数値で特定することができたので、ＶＩＴＡ社が報告している、VITA Classical シェードガイドの色見本の配列指標である「明るさ」について、人間の色感覚（明度、彩度、色相）に関連付けた定義化を検討した。ＪＩＳ  Ｚ８７２９−２００４で規格されるL*a*b*表色系において、L*は明度（ＣＩＥ１９７６明度）を表す。一方で、a*及びb*は色座標（クロマティクネス指数）であるが、ＪＩＳ  Ｚ８７２９−２００４に示す計算式を参考に、a*及びb*から色相ｈ（ＣＩＥ１９７６ａｂ色相角）及び彩度C*（ＣＩＥ１９７６ａｂクロマ）が計算される。a*、b*で規定される座標は、ｈ、C*でも規定可能となる。そこで、明度L*、色相ｈ、彩度C*を用いて、下記式（１）の「色の視覚的な明るさ」の定義式を導いた。
【００３７】
【数２】
2014000176.tif 000012
【００３８】
下記の表８はVITA Classical シェードガイドの色見本Ｄ４を除く１５種の色見本と色合わせをした１５種のレジン硬化物についての、L*a*b*表色系のL*値、a*値、b*、及びa*値、b*値から算出したｈ値、Ｃ*値、及び、式（１）に基づく「明るさ」の値（計算値）を示している。なお、表中の「シェード」は１５種のレジン硬化物をVITA Classical シェードガイドの対応する色見本（シェード）の記号で示したものである。
【００３９】
【表１０】
2014000176.tif 000013
【００４０】
ＶＩＴＡ社が報告している、VITA Classical シェードガイドの１６種の色見本（シェード）の視覚的に明るい順の配列（前述の表１２）から、色見本Ｄ４を除いた配列は、前述の表３である。一方、上記式（１）の「色の視覚的な明るさ」の定義式によって、VITA Classical シェードガイドの色見本Ｄ４を除く１５種の色見本と色合わせをした１５種のレジン硬化物の視覚的に明るい順の配列は、下記の表９の通りである。
【００４１】
【表１１】
2014000176.tif 000014
【００４２】
１５種の色見本（レジン硬化物）を表９の順に並べて実際に目視で見たところ、明るい順に並んでいる印象を受けた。また、最も明るい側から３つ毎にグループ分けしてまとめた各グループを構成する色見本（レジン硬化物）の色調は、ＶＩＴＡ社が報告している、VITA Classical シェードガイドの「明るい」順の配列（前記表４の配列）において最も明るい側から３つ毎にグループ分けしてまとめた各グループを構成する色見本の色調と同じであり、いずれのグループにもＡ系の色が一つ含まれることが確認できた。従って、ＶＩＴＡ社が報告している、VITA Classical シェードガイドの「明るさ」の指標は一般化でき、また、VITA Classical シェードガイドの各色見本と色合わせをしたレジン硬化物は、VITA Classical シェードガイドに準ずるシェードガイドとなり得、かかるVITA Classical シェードガイドに準ずるシェードガイドを上記の式（１）で定義される「明るさ」を指標にして明るい順に並べても、本発明方法を実施できることが分かった。
【００４３】
なお、VITA Classical シェードガイドのＡ系の色見本（Ａ１、Ａ２、Ａ３、Ａ３．５、Ａ４）のL*a*b*表色系によるa*値とb*値は、式：b* = 2.29×a*＋21.83（付帯条件：L* + C* ≧ 115）によって、良好な相関関係を示し、Ａ系の５種の色見本は、相互間の色差が明確であり、このことからも、先ずＡ系の色見本から評価対象歯に最も明るさが近い色の色見本を選択する本発明方法は、色見本の選択がし易く、効率よく歯の色を判定できるものであるといえる。
【００４４】
また、前述の表５、７に示されるように、VITA Classical シェードガイドの色見本Ｃ２と色見本Ｄ４のL*値、a*値、およびb*値は同等である。従って、表９は下記の表１０とも表すことができ、表９及び表１０を一つにまとめて表すと、下記の表２となる。
【００４５】
【表１２】
2014000176.tif 000015
【００４６】
【表１３】
2014000176.tif 000016
【００４７】
図１及び図２は本発明方法の実施に好適なシェードガイドの一例を示した図である。図１は５本の色見本表示用具の平面図であり、図２は図１に示す５本の色見本表示用具が色見本用保持基盤に５本収容されたシェードガイドの平面図である。
【００４８】
図１に示す５本の色見本表示用具１０ａ〜１０ｅは、それぞれ、図３（図３（Ａ）及び図３（Ｂ））に示される、一端に１個の色見本を保持する凹部１ａが１個形成され、該一端から離反した位置に１個の色見本を保持する凹部１ｂが３個隣接して形成されたプレート状の色見本表示用具１に、所定の色見本を保持させることで作製される。
【００４９】
５本の色見本表示用具１０ａ〜１０ｅは、それぞれ、前述のVITA Classical シェードガイドまたはこれに準ずるシェードガイドの、色の明るさを指標にして最も明るい側から３つの色見本毎にグループ分けして得られる、グループ１（Ａ１、Ｂ１、Ｂ２）、グループ２（Ａ２、Ｃ１、Ｄ２）、グループ３（Ａ３、Ｃ２、Ｄ３  又は  Ａ３、Ｄ３、Ｄ４）、グループ４（Ａ３．５、Ｂ３、Ｂ４）およびグループ５（Ａ４、Ｃ３、Ｃ４）に対応する。
【００５０】
すなわち、色見本表示用具１０ａはグループ１に対応し、色見本表示用具１の一端の凹部１ａに色見本Ａ１が保持され、該一端から離反した位置の３個の隣接する凹部１ｂに、色見本Ｂ１、Ａ１およびＢ２がそれぞれ保持されている。
色見本表示用具１０ｂは、グループ２に対応し、色見本表示用具１の一端の凹部１ａに色見本Ａ２が保持され、該一端から離反した位置の３個の隣接する凹部１ｂに、色見本Ｄ２、Ａ２およびＣ１が隣接状態で保持されている。
色見本表示用具１０ｃは、グループ３に対応し、色見本表示用具１の一端の凹部１ａに色見本Ａ３が保持され、該一端から離反した位置の３個の隣接する凹部１ｂに、色見本Ｃ２、Ａ３およびＤ３か、或いは、色見本Ｄ４、Ａ３およびＤ３が隣接状態で保持されている。
色見本表示用具１０ｄは、グループ４に対応し、色見本表示用具１の一端の凹部１ａに色見本Ａ３．５が保持され、該一端から離反した位置の３個の隣接する凹部１ｂに、色見本Ｂ３、Ａ３．５およびＢ４が隣接状態で保持されている。
色見本表示用具１０ｅは、グループ５に対応し、色見本表示用具１の一端の凹部１ａに色見本Ａ４が保持され、該一端から離反した位置の３個の隣接する凹部１ｂに、色見本Ｃ３、Ａ４およびＣ４が隣接状態で保持されている。
なお、それぞれの色見本表示用具において、隣接状態で保持されている３個の色見本の配列順は特に限定されない。
【００５１】
色見本用保持基盤１００は上述の５本の色見本表示用具１０ａ〜１０ｅが抜き挿し可能に収容される孔（図示せず）が形成されていて、各色見本表示用具の一端の色見本が外部に突き出た状態に収容されるように構成されており、図２は５個の色見本表示用具１０ａ〜１０ｅの一端のＡ系色の色見本（Ａ１、Ａ２、Ａ３、Ａ３．５およびＡ４）が外部に突き出た状態に色見本用保持基盤１００に収容された状態を示している。
【００５２】
かかる５個の色見本表示用具１０ａ〜１０ｅと、これらを収容する色見本用保持基盤１００とからなるシェードガイドであれば、本発明方法の、シェードガイドのＡ系の色見本（Ａ１、Ａ２、Ａ３、Ａ３．５およびＡ４）の中で歯に最も明るさが近い色の色見本を選択する工程（工程１）を行う際、Ａ系の色見本以外の色見本はケース内に隠れており、Ａ系の色見本以外の色見本による影響を受けることなく、色見本の選択を行うことができ、色見本の選択作業時間を短縮化ができる。さらに、工程１で選択した色見本が存在するグループの中で評価対象歯に最も明るさが近い色の色見本を選択する工程２においても、１個の色見本表示用具に保持されている３個の色見本から１個の色見本を選択すればよいので、工程２における色見本の選択作業時間も短縮化できる。
【００５３】
なお、プレート状の色見本表示用具１の材質、寸法等は特に限定されないが、透明度、強度の点から、通常、プラスチック（例えば、ポリカーボネート（ＰＣ）、ポリプロピレン（ＰＰ）等）製であり、また、収納等の観点から厚みが１〜３ｍｍ程度、患者の口の中でシェードテイキングが可能等の観点から長さが３０〜８０ｍｍ程度、幅が５〜１５ｍｍ程度であるのが好ましい。色見本用保持基盤１００の材質も特に限定されないが、強度の点から、通常、プラスチック（例えば、アクリロニトリルブタジエンスチレン（ＡＢＳ）、ポリカーボネート（ＰＣ）等）製であり、寸法は色見本表示用具１の大きさによって適宜設定すればよい。
【００５４】
色見本表示用具１に保持する色見本は、前述のVITA Classical シェードガイドの色見本と色合わせをしたレジン硬化物を適用すればよく、色見本の大きさは特に限定はされないが、色の視認性の点から、平面視での面積が１６〜１００ｍｍ２程度となるように設けるのが好ましい。また、VITA Classical シェードガイドの色見本の一部を切り取って用いてもよい。
【実施例】
【００５５】
以下、本発明の実施例および比較例を記載するが、本発明は以下の実施例に限定されるものではない。
【００５６】
VITA Classical シェードガイドのＡ２に色合わせをした評価対象歯に対して、VITA Classical シェードガイドを使って、下記の実施例１および比較例１の方法で色の判定を行い、所要時間及び判定した色を表１１にまとめた。
【００５７】
実施例１
VITA Classical シェードガイドの色見本からＤ４を除いた１５色を下記の５グループに分類して、各グループのＡ系色から最も近い明るさの色を選択し、次に選択したＡ系が属するグループの３色から最も近い明るさの色を選択して色を判定した。
グループ１：Ａ１、Ｂ１、Ｂ２
グループ２：Ａ２、Ｃ１、Ｄ２
グループ３：Ａ３、Ｃ２、Ｄ３
グループ４：Ａ３．５、Ｂ３、Ｂ４
グループ５：Ａ４、Ｃ３、Ｃ４
【００５８】
比較例１
VITA Classical シェードガイドをグループ分けせず、色見本が市販された状態からＤ４を除いた下記の順番のままで、評価対象歯の色を判定した。
Ａ１、Ａ２、Ａ３、Ａ３．５、Ａ４、Ｂ１、Ｂ２、Ｂ３、Ｂ４、Ｃ１、Ｃ２、Ｃ３、Ｃ４、Ｄ２、Ｄ３、
【００５９】
【表１４】
2014000176.tif 000017
【００６０】
実施例１は比較例１よりも所要時間が短く、選択した色も同一であった。これらのことから、本発明の方法により、効率の良い色の判定が可能であることが分かった。
【図１】
2014000176.tif 000021
【図２】
2014000176.tif 000022
【図３】
2014000176.tif 000023